(57)【要約】【課題】尿素の結晶の析出を低減し、摺動部分の摩耗や固着を低減する尿素水ポンプを提供する。【解決手段】インペラ２７とポンプケース２４およびポンプカバー２５との間に溝部５３を形成している。そのため、溝部５３には、ポンプ通路２９を流れる尿素水の一部が貯えられる。溝部５３に貯えられている尿素水の水分は、他の部分に比較して蒸発しにくい。その結果、摺動するインペラ２７とポンプケース２４およびポンプカバー２５との間では、尿素の結晶が析出しにくくなる。また、溝部５３は、円環状に形成されている。そのため、溝部５３に導入された尿素水は、インペラ２７とポンプケース２４およびポンプカバー２５との間の圧力をインペラ２７の周方向で均一化させる。これにより、インペラ２７の傾き、および傾きによるインペラ２７の局所的な摩耗が低減される。【選択図】図１
2009174320.tif 000002
【特許請求の範囲】
【請求項１】
吸入口と吐出口とを接続する円弧状のポンプ通路を形成するケーシングと、
前記ケーシングに回転可能に収容され、前記ポンプ通路を流れる尿素水を加圧する円板状の回転部材と、
前記回転部材の板厚方向の端部と、前記端部に対向する前記ケーシングの内壁との間に周方向へ形成されている溝部と、
を備えることを特徴とする尿素水ポンプ。
【請求項２】
前記溝部は、円環状に形成されていることを特徴とする請求項１記載の尿素水ポンプ。
【請求項３】
前記溝部は、径方向へ複数設けられていることを特徴とする請求項２記載の尿素水ポンプ。
【請求項４】
複数の前記溝部の間を接続する径方向へ伸びる接続溝部をさらに備えることを特徴とする請求項３記載の尿素水ポンプ。
【請求項５】
前記溝部は、前記回転部材の板厚方向の端部、または前記ケーシングの内壁のいずれか一方に設けられていることを特徴とする請求項１から４のいずれか一項記載の尿素水ポンプ。
【請求項６】
前記溝部は、前記回転部材の板厚方向の端部、および前記ケーシングの内壁の双方に設けられていることを特徴とする請求項１から４のいずれか一項記載の尿素水ポンプ。
【請求項７】
前記溝部は、前記回転部材の板厚方向の両端部に対向する前記ケーシングの各内壁にそれぞれ設けられていることを特徴とする請求項１から４のいずれか一項記載の尿素水ポンプ。
【発明の詳細な説明】
【技術分野】
【０００１】
本発明は、尿素水ポンプに関し、特にＳＣＲ（Selective Catalytic Reduction）システムにおいて内燃機関の排気浄化装置へ尿素水を供給するための尿素水ポンプに関する。
【背景技術】
【０００２】
内燃機関、特にディーゼルエンジンから排出されるＮＯｘを還元する排気浄化装置として、ＳＣＲシステムが公知である。ＳＣＲシステムを用いた排気浄化装置は、例えば尿素などを還元剤として噴射することにより、排気に含まれるＮＯｘから窒素と水とを生成する（特許文献１から３参照）。尿素水は、空気に触れると水分が蒸発し、尿素が結晶として析出する。そこで、特許文献１には、尿素水を噴射するインジェクタへの尿素の結晶の析出を低減することが開示されている。また、特許文献２、３には、尿素水タンクに貯えられている尿素水が減少した際の内燃機関の制御が開示されている。
【特許文献１】特開２００６−  ４６２８７号公報
【特許文献２】特開２００６−  ９０３３４号公報
【特許文献３】特開２００６−２２６２０４号公報
【発明の開示】
【発明が解決しようとする課題】
【０００３】
しかしながら、例えば尿素水タンク、あるいは尿素水タンクとインジェクタとを接続する配管など、インジェクタに限らず尿素水は空気に触れる箇所で水分の蒸発によって結晶が析出する。特に尿素水ポンプは、尿素水を加圧するポンプ部分に摺動する部位を含んでいる。そのため、尿素水の減少にともなってポンプ部分が空気に触れ尿素が結晶として析出すると、ポンプの摺動部分において摩耗や固着を招くおそれがある。
【０００４】
そこで、本発明の目的は、尿素の結晶の析出を低減し、摺動部分の摩耗や固着を低減する尿素水ポンプを提供することにある。
【課題を解決するための手段】
【０００５】
請求項１記載の発明では、回転部材の端部とケーシングの内壁との間に溝部を備えている。溝部には、ポンプ通路を流れる尿素水の一部が貯められる。これにより、摺動する回転部材とケーシングとの間では、溝部に尿素水が貯えられる。そのため、尿素水ポンプを収容する尿素水タンクの液面位置が低下しても、回転部材とケーシングとの間では溝部に尿素水が残存する。その結果、回転部材とケーシングとの間における尿素の結晶の析出が低減される。したがって、摺動する回転部材とケーシングとの間における摩耗や固着を低減することができる。
【０００６】
請求項２記載の発明では、溝部は円環状に形成されている。そのため、回転部材は、円環状の溝部に存在する尿素水により傾きが低減される。すなわち、円環状の溝部に存在する尿素水は、回転部材にいわゆる均圧効果を発揮し、回転部材の傾きを低減する。これにより、回転部材の傾斜による回転部材とケーシングとの局所的な接触が低減される。したがって、摺動する回転部材およびケーシングの摩耗を低減することができる。
請求項３記載の発明では、溝部は径方向へ複数設けられているため、溝部の容積は増大する。これにより、溝部に残る尿素水の量は増加する。そのため、回転部材とケーシングとの間には、より長期間尿素水が貯えられる。したがって、摺動する回転部材とケーシングとの間における摩耗や固着をより長期間低減することができる。
【０００７】
請求項４記載の発明では、円環状の複数の溝部は、径方向へ伸びる接続溝部によって接続されている。そのため、溝部に残る尿素水の量は増加するとともに、尿素水は円環状の複数の溝部に概ね均一に残存する。したがって、摺動する回転部材とケーシングとの間における摩耗や固着を低減することができる。
【０００８】
請求項５または６記載の発明では、溝部は回転部材の端部またはケーシングの内壁のいずれか一方または双方に設けることができる。
請求項７記載の発明では、溝部は回転部材の両端部と対向するケーシングの各内壁に設けられている。すなわち、回転部材を収容するポンプ通路を形成するケーシングは、回転部材に面する二つの内壁にそれぞれ溝部を有している。ケーシングは、例えばアルミニウムなどの金属で形成されている。そのため、例えば樹脂で形成される回転部材と比較して、ケーシングの形状精度の確保は容易である。すなわち、ケーシングに溝部を形成することにより、微細かつ複雑な溝部であっても、高精度に形成される。また、ケーシングに溝部を形成することにより、ケーシングの回転部材側の端部における形状精度も確保しやすい。したがって、溝部を精度よく形成することができるとともに、ケーシングと回転部材との安定した摺動を確保することができる。
【発明を実施するための最良の形態】
【０００９】
以下、本発明による尿素水ポンプの複数の実施形態を図面に基づいて説明する。なお、複数の実施形態において実質的に同一の構成部位には同一の符号を付し、説明を省略する。
（第１実施形態）
本発明の第１実施形態による尿素水ポンプを適用した尿素水供給装置を図２に示す。尿素水供給装置１０は、内燃機関１１の排気に尿素水を噴射する。内燃機関１１としては、例えばガソリンエンジンやディーゼルエンジンなどのピストンエンジン、あるいはガスタービンエンジンなどの任意のエンジンを適用することができる。尿素水供給装置１０は、尿素水タンク１２、インジェクタ１３、制御部１４および尿素水ポンプ２０などを備えている。
【００１０】
尿素水タンク１２は、インジェクタ１３から噴射される尿素水を貯える。インジェクタ１３は、内燃機関１１の排気管部１５に設けられている。排気管部１５は、排気通路１６を形成している。排気管部１５に設けられているインジェクタ１３は、排気通路１６を流れる排気に尿素水を噴射する。インジェクタ１３は、図示しない電磁弁を有している。この電磁弁は、制御部１４から出力された駆動信号に基づいて開閉する。電磁弁が開閉することにより、インジェクタ１３は尿素水ポンプ２０から供給された尿素水の噴射を断続する。インジェクタ１３から噴射された尿素水は、排気通路１６を流れる排気に混合された後、排気通路１６に設けられたＮＯｘ還元触媒１７に流入する。排気に含まれるＮＯｘは、ＮＯｘ還元触媒１７において尿素と反応し、窒素（Ｎ２）および水（Ｈ２Ｏ）を生成する。
【００１１】
制御部１４は、図示しないＣＰＵ、ＲＯＭおよびＲＡＭを有するマイクロコンピュータで構成されている。制御部１４は、回転数センサ１８およびアクセルセンサ１９から電気信号が入力される。回転数センサ１８は、内燃機関１１の回転数を検出し、検出した回転数を電気信号として制御部１４へ出力する。また、アクセルセンサ１９は、図示しないアクセルペダルの踏み込み量を検出し、検出したアクセルペダルの踏み込み量を電気信号として制御部１４へ出力する。制御部１４は、インジェクタ１３の図示しない電磁弁および尿素水ポンプ２０に接続している。制御部１４は、インジェクタ１３の電磁弁に対し尿素水の噴射時期および噴射期間に対応する駆動信号を出力する。また、制御部１４は、尿素水ポンプ２０を駆動するための通電を制御する。
【００１２】
制御部１４は、アクセルセンサ１９で検出したアクセルペダルの踏み込み量に基づいて内燃機関１１の負荷を検出する。制御部１４は、検出した内燃機関１１の負荷および回転数センサ１８で検出した内燃機関１１の回転数から、尿素水の噴射タイミングおよび噴射量を算出する。制御部１４は、算出した尿素水の噴射タイミングおよび噴射量に基づいてインジェクタ１３の電磁弁へ出力する駆動信号を生成するとともに、尿素水ポンプ２０の作動を制御する。
【００１３】
次に、尿素水ポンプ２０について詳細に説明する。
尿素水ポンプ２０は、図３に示すようにポンプ部２１と、ポンプ部２１を駆動するブラシレスモータ２２とを備えている。ハウジング２３は、ポンプ部２１およびブラシレスモータ２２の双方のハウジングを兼ねている。ハウジング２３は、軸方向の両端において径方向内側へ折り曲げられている。これにより、ハウジング２３は、ポンプケース２４、ポンプカバー２５およびエンドカバー２６をかしめにより固定している。
【００１４】
ポンプ部２１は、ポンプケース２４、ポンプカバー２５および回転部材としてのインペラ２７を有しているタービンポンプである。ポンプケース２４およびポンプカバー２５は、いずれも例えばアルミニウムなどの金属で形成されている。ポンプケース２４およびポンプカバー２５は、特許請求の範囲のケーシングを構成している。ポンプケース２４は、ハウジング２３の段差部２８に軸方向へ押し当てられている。これにより、ポンプケース２４は、軸方向の位置が決定される。ポンプカバー２５は、ハウジング２３の一方の端部にかしめによって固定されている。
【００１５】
ポンプケース２４およびポンプカバー２５は、インペラ２７を回転可能に収容している。ポンプケース２４とポンプカバー２５との間には、尿素水ポンプ２０の周方向へ略Ｃ字形状のポンプ通路２９が形成されている。ポンプカバー２５に設けられた吸入口３１から吸入された尿素水は、インペラ２７の回転によりポンプ通路２９で昇圧される。昇圧された尿素水は、ポンプケース２４に形成された吐出口３２を経由してブラシレスモータ２２側へ吐出される。ブラシレスモータ２２側へ吐出された尿素水は、ステータコア３３とロータ３４との間の尿素水通路、および吐出通路３５を経由して吐出部３６からインジェクタ１３へ供給される。
【００１６】
ブラシレスモータ２２は、ブラシおよび整流子を有していないセンサレス駆動のブラシレスモータである。ブラシレスモータ２２は、ステータコア３３、ボビン３７、コイル３８およびロータ３４を有している。ステータコア３３は、複数のコアを周方向に配置して構成されている。制御部１４は、ロータ３４の回転に位置に応じて各コイル３８への通電を制御する。これにより、ロータ３４と対向するステータコア３３の各コアの内周面に形成される磁極は切り換えられる。
【００１７】
ステータコア３３の各コアの外周部は周方向に幅の等しい円弧状に形成されており、複数のコアが環状のステータコア３３を形成している。コイル３８は、各コアがステータコア３３を構成する前の単体の状態において、ボビン３７の外周にコアごとに巻線を集中巻して形成されている。各コイル３８は、エンドカバー２６側でターミナル３９と電気的に接続している。ターミナル３９は、図示しないコネクタおよび配線部を経由して制御部１４と電気的に接続される。
【００１８】
周方向に隣接しているコアの間には、絶縁樹脂材が充填されている。絶縁樹脂材は、コイル３８を覆っている。絶縁樹脂材は、ステータコア３３に対してポンプ部２１と反対側の端部を覆うエンドカバー２６と一体に成形されている。エンドカバー２６は、ロータ３４の回転軸を構成するシャフト４１を回転可能に支持する軸受穴４２、および吐出部３６を絶縁樹脂材とともに一体に形成している。エンドカバー２６は、シャフト４１を支持するための軸受穴４２を中央部に有している。軸受穴４２は、シャフト４１を直接支持している。エンドカバー２６には、軸受穴４２から偏心して吐出通路３５が形成されている。吐出通路３５は、エンドカバー２６を直線状に軸方向へ貫いている。
【００１９】
ロータ３４は、シャフト４１および永久磁石４３を有している。ロータ３４は、ステータコア３３の内周に回転可能に設けられている。シャフト４１の一方の端部は、軸受部４４により回転可能に支持されている。シャフト４１の他方の端部は、軸受穴４２により回転可能に支持されている。永久磁石４３は、例えばポリフェニレンスルフィドなどの熱可塑性樹脂に磁性体の粉末を練り込んで円筒状に形成したプラスチックマグネットである。永久磁石４３は、シャフト４１の外周に射出成形などにより直接形成されている。永久磁石４３は、回転方向に八つの磁極を形成している。八つの磁極は、ステータコア３３と対向する外周面側に回転方向へ交互に異なる磁極を形成するように着磁されている。
【００２０】
エンドカバー２６が形成する吐出部３６の内部には、逆止弁４５が設けられている。逆止弁４５は、弁部材４６、ストッパ４７およびスプリング４８を有している。ポンプ部２１で昇圧された尿素水の圧力が所定圧力以上になると、弁部材４６はスプリング４８の押し付け力に抗して開弁する。これにより、尿素水は、吐出部３６からインジェクタ１３側へ吐出される。また、弁部材４６は、尿素水ポンプ２０から吐出される尿素水の逆流を防止する。
【００２１】
インペラ２７は、樹脂により円板状に形成されている。インペラ２７は、図１に示すように中心を貫く穴部４９を有しており、この穴部４９にシャフト４１が挿入されている。これにより、インペラ２７は、ブラシレスモータ２２のシャフト４１とともに回転する。インペラ２７は、径方向外側の端部に羽溝５１を有している。インペラ２７が回転すると、尿素水は羽溝５１によって旋回しつつ吸入口３１から吐出口３２へポンプ通路２９を流れることにより加圧される。
【００２２】
インペラ２７は、ブラシレスモータ２２側の端部２７１がポンプケース２４の内壁２４１と対向している。また、インペラ２７は、ブラシレスモータ２２とは反対側の端部２７２がポンプカバー２５の内壁２５１と対向している。このインペラ２７の端部２７１とポンプケース２４の内壁２４１との間、およびインペラ２７の端部２７２とポンプカバー２５の内壁２５１との間は、わずかなクリアランスを形成している。そのため、インペラ２７は、ポンプケース２４の内壁２４１およびポンプカバー２５の内壁２５１と摺動しながら回転する。
【００２３】
インペラ２７は、板厚方向すなわちシャフト４１の軸方向における各端部２７１、２７２に凹溝５２を有している。凹溝５２は、インペラ２７に窪んで形成されている。第１実施形態の場合、凹溝５２は、インペラ２７の板厚方向において各端部２７１、２７２に設けられている。これにより、インペラ２７と、インペラ２７に対向するポンプケース２４の内壁２４１およびポンプカバー２５の内壁２５１との間には、溝部５３が形成される。凹溝５２は、インペラ２７の各端部２７１、２７２に円環状に形成されている。また、凹溝５２は、インペラ２７の径方向へ複数、すなわち同心の円環状に複数形成されている。これにより、インペラ２７とポンプケース２４およびポンプカバー２５との間に形成される溝部５３も、インペラ２７の径方向へ複数の円環状に形成される。
【００２４】
このようにインペラ２７とポンプケース２４およびポンプカバー２５との間に溝部５３を形成することにより、ポンプ通路２９を流れる尿素水の一部はインペラ２７とポンプケース２４およびポンプカバー２５との間のわずかなクリアランスを経由して溝部５３に進入する。凹溝５２は窪んで形成されているため、進入した尿素水は溝部５３に貯えられる。
【００２５】
尿素水タンク１２の尿素水の液面が低下すると、尿素水タンク１２の内部に収容されている尿素水ポンプ２０の内部における尿素水の液面も低下する。このとき、尿素水ポンプ２０内部における尿素水の水分は蒸発する。尿素水は、尿素の水溶液であるため、水分が蒸発すると溶解している尿素が結晶として析出する。この場合、インペラ２７とポンプケース２４およびポンプカバー２５との間に尿素が析出すると、インペラ２７とポンプケース２４およびポンプカバー２５との間で固着したり、析出した結晶によってインペラ２７、ポンプケース２４またはポンプカバー２５が摩耗するおそれがある。
【００２６】
第１実施形態の場合、インペラ２７とポンプケース２４およびポンプカバー２５との間に溝部５３を形成することにより、ポンプ通路２９を流れる尿素水の一部は溝部５３に貯えられる。溝部５３を形成しているインペラ２７とポンプケース２４およびポンプカバー２５との間は、わずかなクリアランスしか設けられていない。そのため、溝部５３に貯えられている尿素水の水分は、他の部分に比較して蒸発しにくい。その結果、摺動するインペラ２７とポンプケース２４およびポンプカバー２５との間では、尿素の結晶が析出しにくくなる。したがって、インペラ２７とポンプケース２４およびポンプカバー２５との固着を低減することができる。また、尿素の結晶の析出を低減することにより、インペラ２７、ポンプケース２４およびポンプカバー２５の摩耗を低減することができる。
【００２７】
また、第１実施形態の場合、インペラ２７は円環状の凹溝５２を径方向へ複数有している。そのため、凹溝５２によってインペラ２７とポンプケース２４およびポンプカバー２５との間に形成される溝部５３も、円環状に形成される。溝部５３を円環状に形成することにより、溝部５３に貯えられる尿素水の圧力は周方向で均一化する。例えば何らかの原因でインペラ２７に回転中心軸に対し傾斜する力が加わったとしても、溝部５３に貯えられている尿素水によってインペラ２７とポンプケース２４およびポンプカバー２５との間の圧力は周方向へ均一化される。その結果、インペラ２７には、シャフト４１に対する傾きが低減されるいわゆる均圧効果が生じる。すなわち、溝部５３は、尿素水を貯えることにより、インペラ２７に加わる圧力を周方向へ均一化させ、インペラ２７の傾斜を低減させる効果を発揮する。したがって、インペラ２７の傾斜によるインペラ２７とポンプケース２４またはポンプカバー２５との局所的な接触が低減され、インペラ２７、ポンプケース２４およびポンプカバー２５の摩耗を低減することができる。
【００２８】
（凹溝の形状）
第１実施形態の場合、凹溝５２は、断面形状が図４（Ａ）に示すように矩形の角溝に形成されている。凹溝５２を断面が矩形の角溝に形成することにより、凹溝５２の容積は拡大する。そのため、溝部５３に貯えられる尿素水の容量は増大する。したがって、溝部５３には尿素水を長期間貯えることができる。また、凹溝５２は、図４（Ｂ）に示すように断面形状が三角形状の三角溝に形成してもよい。凹溝５２を三角溝に形成することにより、凹溝５２を加工する際、切削や射出成形など種々の形成方法を選択可能となる。したがって、凹溝５２の形成を容易にすることができる。さらに、凹溝５２は、図４（Ｃ）に示すように断面形状が半円形状の丸溝に形成してもよい。凹溝５２を丸溝に形成することにより、凹溝５２を加工する際、射出成形した後、型からインペラ２７を抜きやすくなる。したがって、インペラ２７の加工を容易にすることができる。
以上のように、インペラ２７に設ける凹溝５２は、断面形状を任意に選択することができる。
【００２９】
（第２、第３実施形態）
本発明の第２、第３実施形態による尿素水ポンプのインペラをそれぞれ図５または図６に示す。
図５に示す第２実施形態による尿素水ポンプ２０のインペラ１２７は、円環状の複数の凹溝１５２の間を接続する接続溝１５４を有している。接続溝１５４は、インペラ１２７の径方向へ伸びている。接続溝１５４は、径方向で隣接する凹溝１５２の間を接続している。接続溝１５４は、凹溝１５２の周方向へ略放射状に複数設けられている。これにより、インペラ１２７とポンプケース２４およびポンプカバー２５との間には、円弧状の溝部の間を径方向で接続する接続溝部が形成される。
【００３０】
第２実施形態では、複数の凹溝１５２の間を接続溝１５４で接続することにより、尿素水を貯えることができる溝部の全体の容積が増大する。また、複数の円環状の各溝部間において尿素水が均一に貯えられる。したがって、尿素水をより長期間貯えることができ、結晶の析出をより長期間抑制することができる。
図６に示す第３実施形態による尿素水ポンプ２０のインペラ１２７は、周方向および径方向へ区画された複数の凹部２５５を有している。凹部２５５は、図６に示すように任意の形状に形成されている。隣接する凹部２５５の間は、インペラ１２７の各端面によって区画されている。これにより、インペラ１２７とポンプケース２４およびポンプカバー２５との間には、周方向および径方向へ区画された溝部が形成される。
【００３１】
第３実施形態では、複数の凹部２５５はそれぞれ容積が増大する。また、複数の凹部２５５から構成される溝部の総容積も増大する。したがって、尿素水を長期間貯えることができ、結晶の析出を長期間抑制することができる。また、複数の凹部２５５の間を径方向および周方向へ区画することにより、インペラ１２７とポンプケース２４およびポンプカバー２５との間のシール長が増大する。したがって、ポンプ通路２９における尿素水の加圧損失を低減することができる。
【００３２】
（第４実施形態）
本発明の第４実施形態による尿素水ポンプの要部を図７に示す。
第４実施形態では、尿素水ポンプ２０は、ポンプケース２４およびポンプカバー２５に凹溝５６を有している。この場合でも、凹溝５６によりインペラ２７とポンプケース２４およびポンプカバー２５との間には、溝部５３が形成されている。上述のようにポンプケース２４およびポンプカバー２５は、いずれもアルミニウムなどの金属で形成されている。そのため、樹脂で形成されているインペラ２７と比較して凹溝５６を有するポンプケース２４およびポンプカバー２５の形状精度は確保しやすい。インペラ２７とポンプケース２４およびポンプカバー２５との間は、わずかなクリアランスを挟んで対向している。そのため、ポンプケース２４およびポンプカバー２５に凹溝５６を形成することにより、インペラ２７とポンプケース２４およびポンプカバー２５との間のクリアランスの寸法精度の確保が容易になる。その結果、インペラ２７とポンプケース２４またはポンプカバー２５との無用な接触が低減されるとともに、ポンプ通路２９から流出する尿素水が低減される。したがって、インペラ２７、ポンプケース２４およびポンプカバー２５の摩耗をより低減することができるとともに、尿素水の加圧効率を高めることができる。
【００３３】
（その他の実施形態）
以上説明した複数の実施形態では、溝部５３を形成する凹溝５２、５６をインペラ２７側、またはポンプケース２４およびポンプカバー２５側のいずれか一方にのみ形成する例について説明した。しかし、対向するインペラ２７とポンプケース２４およびポンプカバー２５との間の双方に、対称または非対称な凹溝を形成してもよい。
【００３４】
以上説明した本発明は、上記実施形態に限定されるものではなく、その要旨を逸脱しない範囲で種々の実施形態に適用可能である。
【図面の簡単な説明】
【００３５】
【図１】（Ａ）は本発明の第１実施形態による尿素水ポンプの要部の概略を示す断面図であり、（Ｂ）は（Ａ）のＢ方向から見たインペラの矢視図
【図２】本発明の第１実施形態による尿素水ポンプを適用した尿素水供給装置を示す模式図
【図３】本発明の第１実施形態による尿素水ポンプの概略を示す断面図
【図４】インペラの凹溝の変形例を示す断面図
【図５】本発明の第２実施形態による尿素水ポンプの図１（Ｂ）に相当する図
【図６】本発明の第３実施形態による尿素水ポンプの図１（Ｂ）に相当する図
【図７】本発明の第４実施形態による尿素水ポンプの要部の概略を示す断面図
【符号の説明】
【００３６】
図面中、２０は尿素水ポンプ、２４はポンプケース（ケーシング）、２５はポンプカバー（ケーシング）、２７、１２７はインペラ（回転部材）、２９はポンプ通路、３１は吸入口、３２は吐出口、５２、５６、１５２は凹溝（溝部）、５３は溝部、１５４は接続溝（接続溝部）、２４１は内壁、２５１は内壁、２５５は凹部（溝部）、２７１は端部、２７２は端部
【図１】
2009174320.tif 000003
【図２】
2009174320.tif 000004
【図３】
2009174320.tif 000005
【図４】
2009174320.tif 000006
【図５】
2009174320.tif 000007
【図６】
2009174320.tif 000008
【図７】
2009174320.tif 000009